【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
椎骨拡張型インプラントであって、該インプラントは、
該インプラントの拡張中に互いに離れることを意図されている第１および第２の座面と、
該座面の各々と関連している少なくとも第１および第２の対向する端と、
拡張構成で該インプラントを保持する保持部材と
を備え、
保持要素は、該インプラントの該第１の端と関連している第１の端と、該インプラントの該第２の端と関連している第２の端と、
該インプラントの該第２の端上に提供される第２の係合要素と係合するために該保持要素の該第２の端に近接して提供される第１の係合要素と
を備え、該第１と第２の係合要素との間の係合は、該インプラントの該第２の端が該インプラントの該第１の端から離れることを実質的に防止する、拡張型インプラント。
【請求項２】
前記第１の係合要素は、前記保持部材の外面から外向きに延在する１つ以上の突出隆起を備え、前記第２の係合要素は、前記インプラントの前記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、請求項１に記載の拡張型インプラント。
【請求項３】
前記１つ以上の隆起は、前記保持部材の前記外面に少なくとも部分的に外接する、請求項２に記載の拡張型インプラント。
【請求項４】
前記１つ以上の隆起は、前記保持部材の前記外面の円周全体に外接する、請求項３に記載の拡張型インプラント。
【請求項５】
前記保持要素は、近位部分と、遠位部分とを含み、前記インプラントの拡張時に、該保持要素の該遠位部分が変形させられることを可能にするように構成される少なくとも１つの変形部分をさらに備える、請求項１に記載の拡張型インプラント。
【請求項６】
前記１つ以上の変形部分は、円形、三角形、正方形、長方形、卵形、Ｕ字形、または長円形として構成される、請求項５に記載の拡張型インプラント。
【請求項７】
前記第２の係合要素は、前記インプラントの前記端の前記外面から外向きに延在する１つ以上の突出隆起を備え、前記第１の係合要素は、前記保持要素の前記外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、請求項１に記載の拡張型インプラント。
【請求項８】
前記保持要素は、管状であり、前記１つ以上の陥凹は、該保持部材の前記外面に少なくとも部分的に外接する、請求項７に記載の拡張型インプラント。
【請求項９】
前記１つ以上の陥凹は、切欠きを備える、請求項７に記載の拡張型インプラント。
【請求項１０】
前記保持要素は、管状であり、および管腔を備え、該管腔は自身を通る流動性材料の通過を可能にするように構成される、請求項１に記載の拡張型インプラント。
【請求項１１】
前記保持要素は、前記管状保持要素の前記管腔からの前記流動性材料の退出を可能にするように構成される開口をさらに備える、請求項１０に記載の拡張型インプラント。
【請求項１２】
前記端部材のうちの少なくとも１つは、インプラント拡張器と関連するように構成される、請求項１に記載の拡張型インプラント。
【請求項１３】
前記インプラント拡張器は、近位部分と、遠位部分とを備え、該遠位部分は、前記インプラントの前記端部材のうちの少なくとも１つと関連するように構成される、請求項１２に記載の拡張型インプラント。
【請求項１４】
前記インプラント拡張器の前記近位部分は、注入システムの注入部材に連結されるように構成される、請求項１３に記載の拡張型インプラント。
【請求項１５】
前記近位部分は、ルアーロック、ネジ式、またはバイオネット構成を備える、請求項１４に記載の拡張型インプラント。
【請求項１６】
前記インプラントの拡張は、前記保持要素に対する前記端部材のうちの少なくとも１つの移動を含む、請求項１に記載の拡張型インプラント。
【請求項１７】
前記材料は、混合物を含む、請求項１１に記載の拡張型インプラント。
【請求項１８】
前記材料は、骨セメントまたは骨移植片を含む、請求項１７に記載の拡張型インプラント。
【請求項１９】
拡張型インプラントであって、
第１および第２の座面であって、該第１および第２の座面は該インプラントの拡張中に互いに離れることを意図されている、第１および第２の座面と、
該座面の各々と関連している少なくとも第１および第２の対向する端部材と、
保持要素と、
該座面のうちの少なくとも１つと関連している少なくとも１対の支持材であって、該座面のうちの少なくとも１つは、該端部材のうちの少なくとも１つと付加的に関連付けられ該１対の支持材のうちの第１の支持材は、第１の係合要素を含み、該１対の支持材のうちの第２の支持材は、第２の係合要素を含み、前記インプラントを所定の量に拡張すると、該第１の係合要素の少なくとも一部分は、該第２の係合要素の少なくとも一部分と係合して、互いに向かう該端部材の移動を防止する、支持材と
を備える、拡張型インプラント。
【請求項２０】
前記第１の係合要素は、前記保持部材の外面から外向きに延在する１つ以上の突出隆起を備え、前記第２の係合要素は、前記インプラントの前記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、請求項１９に記載の拡張型インプラント。
【請求項２１】
前記１つ以上の隆起は、歯を備え、前記１つ以上の陥凹は、切欠きを備える、請求項２０に記載の拡張型インプラント。
【請求項２２】
前記第１および第２の座面のうちの少なくとも１つは、それぞれのプレートに対応し、少なくとも１つのそのようなプレートは、前記少なくとも１つの支持材の少なくとも１つの隆起に係合するように構成される陥凹を含む、請求項２０に記載の拡張型インプラント。
【請求項２３】
前記保持要素は、管状であり、および管腔を備え、該管腔は、自身を通る材料の通過を可能にするように構成される、請求項１９に記載の拡張型インプラント。
【請求項２４】
前記保持要素は、前記管状保持要素の前記管腔からの前記材料の退出を可能にするように構成される開口をさらに備える、請求項１９に記載の拡張型インプラント。
【請求項２５】
２つの表面の間の空間を修復するシステムであって、
２つの表面の間に挿入されるように構成されている拡張型インプラントを備え、該拡張型インプラントは、収縮構成と拡張構成とを含み、該インプラントは、
該インプラントが拡張されるにつれて、拡張面に従って互いに離れるように動くことを意図されている第１および第２の座面と、
該座面の各々と関連している第１および第２の対向する端部材と、
拡張構成で該インプラントを保持する保持要素と
を備え、
該インプラントは、該２つの表面の間に設置されるように構成され、
該インプラントは、該収縮構成から該拡張構成に該インプラントを拡張し、それにより、該空間を修復するように構成されている、システム。
【請求項２６】
前記保持要素の少なくとも１つの端は、前記インプラントの対応する端の上に提供される第２の係合要素と係合する第１の係合要素を含む、請求項２５に記載のシステム。
【請求項２７】
第１の係合要素は、前記保持部材の外面から外向きに延在する１つ以上の突出隆起を備え、前記第２の係合要素は、前記インプラントの前記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、請求項２５に記載のシステム。
【請求項２８】
前記第２の係合要素は、前記保持部材の外面から外向きに延在する１つ以上の突出隆起を備え、前記第１の係合要素は、前記インプラントの前記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、請求項２５に記載のシステム。
【請求項２９】
前記インプラントは、前記端部材を互いに向けて移動することと、前記保持部材に対する該端部材のうちの少なくとも１つを移動することとによって拡張されるように構成されている、請求項２５に記載のシステム。
【請求項３０】
前記２つの係合要素は、前記インプラントが拡張構成で保持されるように係合されるように構成されている、請求項２６に記載のシステム。
【請求項３１】
前記インプラントは、折畳み構成で挿入されるように構成されている、請求項２５に記載のシステム。
【請求項３２】
前記保持要素は、管状であり、および管腔を備え、該管腔は、自身を通る材料の通過を可能にするように構成され、該管腔からの該材料の退出を可能にするように構成される開口をさらに備える、請求項２５に記載のシステム。
【請求項３３】
前記システムは、前記管腔を通して材料を注入する手段をさらに含む、請求項２５に記載のシステム。
【請求項３４】
前記管腔は、ある量の前記材料が、該材料が該管腔を通過し、前記開口から排出されるように注入されることを可能にするように構成されている、請求項３３に記載のシステム。
【請求項３５】
前記空間は、２つの別個の椎骨の間の空間を含み、前記表面は、２つの対向する椎骨上の表面を含む、請求項２５に記載のシステム。
【請求項３６】
前記空間は、椎骨内の空間を含み、前記表面は、該椎体内の対向する表面を含む、請求項２５に記載のシステム。
【請求項３７】
２つの表面の間の空間を修復するシステムであって、
挿入されるように構成されている拡張型インプラントを備え、
該拡張型インプラントは、収縮構成と拡張構成とを含み、該インプラントは、
第１および第２の対向するプレートであって、該第１および第２のプレートは、該インプラントが拡張されるにつれて、拡張面に従って互いに離れるように動くことを意図されている、第１および第２の対向するプレートと、
該対向するプレートの各々と関連している少なくとも第１および第２の対向する端部材であって、該端部材のうちの少なくとも１つは、保持要素の１つの端を受容するように構成される開口を含む、対向する端部材と、
保持要素と、
該第１および第２のプレートのうちの少なくとも１つと関連付けられ、該第１および第２の端部材のうちの少なくとも１つと付加的に関連付けられる少なくとも１対の第１および第２の支持材であって、該１対の第１および第２の支持材のうちの少なくとも１つは、第１の係合要素と、該第１の係合要素と係合する第２の係合要素とを備える、支持材と
を含み、
該インプラントは、該表面の間に設置されるように構成され、
該インプラントは、該収縮構成から該拡張構成に該インプラントを拡張し、それにより、該空間を修復するように構成されている、システム。
【請求項３８】
前記拡張型インプラントの前記第１および第２の支持材のうちの少なくとも１つは、前記係合要素を備え、該第１および第２の支持材のうちのもう１つは、係合要素受容部材を備え、加えて、該係合要素と該受容部材とは、いったん拡張されると、該インプラントが収縮することを抑えるような態様で互いに関連するように構成される、請求項３７に記載のシステム。
【請求項３９】
前記係合要素は、歯要素として構成され、前記受容部材は、切欠き要素として構成される、請求項３７に記載のシステム。
【請求項４０】
前記インプラントは、前記保持要素に対して、前記端部材のうちの少なくとも１つを動かすことによって拡張されるように構成されている、請求項３７に記載のシステム。
【請求項４１】
複数の係合要素および複数の係合要素受容部材を備える、請求項３７に記載のシステム。
【請求項４２】
前記保持要素は、前記拡張構成で前記インプラントを保持するように構成されている、請求項３７に記載のシステム。
【請求項４３】
前記拡張型インプラントの前記第１および第２の対向するプレートは各々、各プレートに隣接する２つの椎骨のうちのそれぞれの椎骨の一部分に係合するように構成される陥凹を含む、請求項３７に記載のシステム。
【請求項４４】
前記インプラントは、該インプラントが拡張されるときに、前記陥凹が前記椎骨の一部分に係合するように、該陥凹をそれぞれの椎骨と整列させることによって設置されるようにさらに構成されている、請求項４３に記載のシステム。
【請求項４５】
前記インプラントは、前記陥凹を前記椎骨と整列させるために、該インプラントを回転させることによって設置されるようにさらに構成されている、請求項４４に記載のシステム。
【請求項４６】
前記インプラントは、折畳み構成で挿入されるように構成されている、請求項３７に記載のシステム。
【請求項４７】
前記空間は、２つの別個の椎骨の間の空間を含み、前記表面は、２つの対向する椎骨上の表面を含む、請求項３７に記載のシステム。
【請求項４８】
前記空間は、椎骨内の空間を含み、前記表面は、該椎体内の対向する表面を含む、請求項３７に記載のシステム。
【手続補正２】
【補正対象書類名】明細書
【補正対象項目名】００２４
【補正方法】変更
【補正の内容】
【００２４】
上記で簡潔に説明されるもの等の開示された実施形態のうちの少なくともいくつかを使用する方法は、背痛の軽減および／または不利な脊椎の症状の修復および／または治療を可能にする。
例えば、本発明は以下の項目を提供する。
（項目１）
椎骨拡張型インプラントであって、該インプラントは、
該インプラントの拡張中に互いに離れることを意図されている第１および第２の座面と、
該座面の各々と関連している少なくとも第１および第２の対向する端と、
拡張構成で該インプラントを保持する保持部材と
を備え、
保持要素は、該インプラントの該第１の端と関連している第１の端と、該インプラントの該第２の端と関連している第２の端と、
該インプラントの該第２の端上に提供される第２の係合要素と係合するために該保持要素の該第２の端に近接して提供される第１の係合要素と
を備え、該第１と第２の係合要素との間の係合は、該インプラントの該第２の端が該インプラントの該第１の端から離れることを実質的に防止する、拡張型インプラント。
（項目２）
上記第１の係合要素は、上記保持部材の外面から外向きに延在する１つ以上の突出隆起を備え、上記第２の係合要素は、上記インプラントの上記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、項目１に記載の拡張型インプラント。
（項目３）
上記１つ以上の隆起は、上記保持部材の上記外面に少なくとも部分的に外接する、項目２に記載の拡張型インプラント。
（項目４）
上記１つ以上の隆起は、上記保持部材の上記外面の円周全体に外接する、項目３に記載の拡張型インプラント。
（項目５）
上記保持要素は、近位部分と、遠位部分とを含み、上記インプラントの拡張時に、該保持要素の該遠位部分が変形させられることを可能にするように構成される少なくとも１つの変形部分をさらに備える、項目１に記載の拡張型インプラント。
（項目６）
上記１つ以上の変形部分は、円形、三角形、正方形、長方形、卵形、Ｕ字形、または長円形として構成される、項目５に記載の拡張型インプラント。
（項目７）
上記第２の係合要素は、上記インプラントの上記端の上記外面から外向きに延在する１つ以上の突出隆起を備え、上記第１の係合要素は、上記保持要素の上記外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、項目１に記載の拡張型インプラント。
（項目８）
上記保持要素は、管状であり、上記１つ以上の陥凹は、該保持部材の上記外面に少なくとも部分的に外接する、項目７に記載の拡張型インプラント。
（項目９）
上記１つ以上の陥凹は、切欠きを備える、項目７に記載の拡張型インプラント。
（項目１０）
上記保持要素は、管状であり、および管腔を備え、該管腔は自身を通る流動性材料の通過を可能にするように構成される、項目１に記載の拡張型インプラント。
（項目１１）
上記保持要素は、上記管状保持要素の上記管腔からの上記流動性材料の退出を可能にするように構成される開口をさらに備える、項目１０に記載の拡張型インプラント。
（項目１２）
上記端部材のうちの少なくとも１つは、インプラント拡張器と関連するように構成される、項目１に記載の拡張型インプラント。
（項目１３）
上記インプラント拡張器は、近位部分と、遠位部分とを備え、該遠位部分は、上記インプラントの上記端部材のうちの少なくとも１つと関連するように構成される、項目１２に記載の拡張型インプラント。
（項目１４）
上記インプラント拡張器の上記近位部分は、注入システムの注入部材に連結されるように構成される、項目１３に記載の拡張型インプラント。
（項目１５）
上記近位部分は、ルアーロック、ネジ式、またはバイオネット構成を備える、項目１４に記載の拡張型インプラント。
（項目１６）
上記インプラントの拡張は、上記保持要素に対する上記端部材のうちの少なくとも１つの移動を含む、項目１に記載の拡張型インプラント。
（項目１７）
上記材料は、混合物を含む、項目１１に記載の拡張型インプラント。
（項目１８）
上記材料は、骨セメントまたは骨移植片を含む、項目１７に記載の拡張型インプラント。
（項目１９）
拡張型インプラントであって、
第１および第２の座面であって、該第１および第２の座面は該インプラントの拡張中に互いに離れることを意図されている、第１および第２の座面と、
該座面の各々と関連している少なくとも第１および第２の対向する端部材と、
保持要素と、
該座面のうちの少なくとも１つと関連している少なくとも１対の支持材であって、該座面のうちの少なくとも１つは、該端部材のうちの少なくとも１つと付加的に関連付けられ該１対の支持材のうちの第１の支持材は、第１の係合要素を含み、該１対の支持材のうちの第２の支持材は、第２の係合要素を含み、上記インプラントを所定の量に拡張すると、該第１の係合要素の少なくとも一部分は、該第２の係合要素の少なくとも一部分と係合して、互いに向かう該端部材の移動を防止する、支持材と
を備える、拡張型インプラント。
（項目２０）
上記第１の係合要素は、上記保持部材の外面から外向きに延在する１つ以上の突出隆起を備え、上記第２の係合要素は、上記インプラントの上記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、項目１９に記載の拡張型インプラント。
（項目２１）
上記１つ以上の隆起は、歯を備え、上記１つ以上の陥凹は、切欠きを備える、項目２０に記載の拡張型インプラント。
（項目２２）
上記第１および第２の座面のうちの少なくとも１つは、それぞれのプレートに対応し、少なくとも１つのそのようなプレートは、上記少なくとも１つの支持材の少なくとも１つの隆起に係合するように構成される陥凹を含む、項目２０に記載の拡張型インプラント。
（項目２３）
上記保持要素は、管状であり、および管腔を備え、該管腔は、自身を通る材料の通過を可能にするように構成される、項目１９に記載の拡張型インプラント。
（項目２４）
上記保持要素は、上記管状保持要素の上記管腔からの上記材料の退出を可能にするように構成される開口をさらに備える、項目１９に記載の拡張型インプラント。
（項目２５）
２つの表面の間の空間を修復する方法であって、
２つの表面の間に拡張型インプラントを挿入するステップであって、該拡張型インプラントは、収縮および拡張構成を含み、該インプラントは、
該インプラントが拡張されるにつれて、拡張面に従って互いに離れることを意図されている第１および第２の座面と、
該座面の各々と関連している第１および第２の対向する端部材と、
拡張構成で該インプラントを保持する保持要素と
を備える、ステップと、
該２つの表面の間に該インプラントを設置するステップと、
該収縮構成から該拡張構成に該インプラントを拡張し、それにより、該空間を修復するステップと
を含む、方法。
（項目２６）
上記保持要素の少なくとも１つの端は、上記インプラントの対応する端の上に提供される第２の係合要素と係合する第１の係合要素を含む、項目２５に記載の方法。
（項目２７）
第１の係合要素は、上記保持部材の外面から外向きに延在する１つ以上の突出隆起を備え、上記第２の係合要素は、上記インプラントの上記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、項目２５に記載の拡張型インプラント。
（項目２８）
上記第２の係合要素は、上記保持部材の外面から外向きに延在する１つ以上の突出隆起を備え、上記第１の係合要素は、上記インプラントの上記端の外面から内向きに延在する１つ以上の陥凹を備え、該インプラントの拡張時に、該隆起のうちの少なくとも１つの少なくとも一部分は、１つ以上の陥凹の一部分に隣接するか、および／または少なくとも一部分によって受容される、項目２５に記載の拡張型インプラント。
（項目２９）
上記インプラントの拡張は、互いに向かう上記端部材の移動と、上記保持部材に対する該端部材のうちの少なくとも１つの移動とを含む、項目２５に記載の方法。
（項目３０）
上記２つの係合要素間の係合は、拡張構成で上記インプラントを保持する、項目２５に記載の方法。
（項目３１）
上記インプラントは、折畳み構成で挿入される、項目２５に記載の方法。
（項目３２）
上記保持要素は、管状であり、および管腔を備え、該管腔は、自身を通る材料の通過を可能にするように構成され、該管腔からの該材料の退出を可能にするように構成される開口をさらに備える、項目２５に記載の方法。
（項目３３）
上記方法は、上記管腔を通して材料を注入することをさらに含む、項目２５に記載の方法。
（項目３４）
上記材料のある量は、該材料が上記管腔を通過し、上記開口から排出されるように注入される、項目３３に記載の方法。
（項目３５）
上記空間は、２つの別個の椎骨の間の空間を含み、上記表面は、２つの対向する椎骨上の表面を含む、項目２５に記載の方法。
（項目３６）
上記空間は、椎骨内の空間を含み、上記表面は、該椎体内の対向する表面を含む、項目２５に記載の方法。
（項目３７）
２つの表面の間の空間を修復する方法であって、
拡張型インプラントを挿入するステップであって、該拡張型インプラントは、収縮および拡張構成を含み、該インプラントは、
第１および第２の対向するプレートであって、該第１および第２のプレートは、該インプラントが拡張されるにつれて、拡張面に従って互いに離れることを意図されている、第１および第２の対向プレートと、
該対向するプレートの各々と関連している少なくとも第１および第２の対向する端部材であって、該端部材のうちの少なくとも１つは、保持要素の１つの端を受容するように構成される開口を含む、対向する端部材と、
保持要素と、
該第１および第２のプレートのうちの少なくとも１つと関連付けられ、該第１および第２の端部材のうちの少なくとも１つと付加的に関連付けられる少なくとも１対の第１および第２の支持材であって、該１対の第１および第２の支持材のうちの少なくとも１つは、第１の係合要素と、該第１の係合要素と係合する第２の係合要素とを備える、支持材と
を含む、ステップと、
該表面の間に該インプラントを設置するステップと、
該収縮構成から該拡張構成に該インプラントを拡張し、それにより、該空間を修復するステップと
を含む、方法。
（項目３８）
上記拡張型インプラントの上記第１および第２の支持材のうちの少なくとも１つは、上記係合要素を備え、該第１および第２の支持材のうちのもう１つは、係合要素受容部材を備え、加えて、該係合要素と該受容部材とは、いったん拡張されると、該インプラントが収縮することを抑えるような態様で互いに関連するように構成される、項目３７に記載の方法。
（項目３９）
上記係合要素は、歯要素として構成され、上記受容部材は、切欠き要素として構成される、項目３７に記載の方法。
（項目４０）
上記インプラントの拡張は、上記保持要素に対する上記端部材のうちの少なくとも１つの移動を含む、項目３７に記載の方法。
（項目４１）
複数の係合要素および複数の係合要素受容部材を備える、項目３７に記載の方法。
（項目４２）
上記保持要素は、上記拡張構成で上記インプラントを保持する、項目３７に記載の方法。
（項目４３）
上記拡張型インプラントの上記第１および第２の対向するプレートは各々、各プレートに隣接する２つの椎骨のうちのそれぞれの椎骨の一部分に係合するように構成される陥凹を含む、項目３７に記載の方法。
（項目４４）
設置することは、上記インプラントが拡張されると上記陥凹が上記椎骨の一部分に係合するように、該陥凹をそれぞれの椎骨と整列させることを含む、項目４３に記載の方法。
（項目４５）
設置することは、上記陥凹を上記椎骨と整列させるために、上記インプラントを回転させることをさらに含む、項目４４に記載の方法。
（項目４６）
上記インプラントは、折畳み構成で挿入される、項目３７に記載の方法。
（項目４７）
上記空間は、２つの別個の椎骨の間の空間を含み、上記表面は、２つの対向する椎骨上の表面を含む、項目３７に記載の方法。
（項目４８）
上記空間は、椎骨内の空間を含み、上記表面は、該椎体内の対向する表面を含む、項目３７に記載の方法。